【手続補正書】
【提出日】令和3年3月1日(2021.3.1)
【手続補正１】
【補正対象書類名】特許請求の範囲
【補正対象項目名】全文
【補正方法】変更
【補正の内容】
【特許請求の範囲】
【請求項１】
複数の画像を、互いに異なる第１の方向と第２の方向とに並べて表示エリアに表示するように制御可能な電子機器であって、
前記画像ごとに、前記第２の方向の辺の長さを所定の長さにリサイズするときに、アスペクト比を維持するためにリサイズされる前記第１の方向の辺の長さを算出し、
前記第１の方向に並ぶ画像数が閾値数以下かつ、前記第１の方向に並ぶ画像の前記第１の方向の辺の長さの合計が、閾値長さ以下となるように、前記複数の画像を前記第１の方向と前記第２の方向とに配置し、
前記第１の方向に並ぶ画像の前記第１の方向の辺の長さの合計が、前記閾値長さに近似し、かつ前記第１の方向に並ぶ画像の前記第２の方向の辺の長さが近似するように、前記第１の方向に並ぶ画像をリサイズするリサイズ処理を、前記第１の方向に並ぶ画像ごとに実行し、
前記リサイズ処理が実行された画像を前記第１の方向と前記第２の方向とに並べて前記表示エリアに表示するよう制御する制御手段、
を有し、
前記表示エリアに表示される前記複数の画像の少なくともいずれかの画像の前記第１の方向の辺の長さは、当該複数の画像のうちの別の画像の前記第１の方向の辺の長さと異なる
ことを特徴とする電子機器。
【請求項２】
前記制御手段は、さらに、画像が前記第２の方向の終端に達するとき、前記第１の方向に並ぶ画像に対して、前記リサイズ処理を実行しないことを特徴とする請求項１に記載の電子機器。
【請求項３】
前記制御手段は、さらに、前記閾値長さを各画像の前記リサイズ後の前記第１の方向の辺の長さの平均で除算することにより前記閾値数を決定することを特徴とする請求項１または２に記載の電子機器。
【請求項４】
前記制御手段は、さらに、ユーザ操作に応じて前記閾値数を決定することを特徴とする請求項１または２に記載の電子機器。
【請求項５】
前記閾値長さは前記表示エリアの前記第１の方向の辺の長さであることを特徴とする請求項１〜４のいずれか１項に記載の電子機器。
【請求項６】
前記制御手段は、さらに、前記リサイズ後の前記第１の方向の辺の長さが閾値サイズよりも長い画像に対して、前記リサイズ後の前記第１の方向の辺の長さが前記閾値サイズ以下となるように、前記画像の前記第１の方向にマージンを付加することを特徴とする請求項１〜５のいずれか１項に記載の電子機器。
【請求項７】
前記第２の方向は、前記第１の方向に垂直な方向であることを特徴とする請求項１〜６のいずれか１項に記載の電子機器。
【請求項８】
前記制御手段は、前記複数の画像のうち一部の画像を前記表示エリアに表示し、前記第２の方向にスクロールすることで、前記表示エリアに表示する画像を変更する
ことを特徴とする請求項１〜７のいずれか１項に記載の電子機器。
【請求項９】
前記複数の画像は、縦長画像と横長画像とを含み、
前記縦長画像は、幅よりも高さのある垂直画像であり、
前記横長画像は、高さよりも幅のある水平画像である
ことを特徴とする請求項１〜８のいずれか１項に記載の電子機器。
【請求項１０】
前記第２の方向の前記所定の長さは、ユーザ操作に応じて決定される前記複数の画像のそれぞれのための固定長である
ことを特徴とする請求項１〜９のいずれか１項に記載の電子機器。
【請求項１１】
前記第２の方向の前記所定の長さは、前記制御手段によって決定される前記複数の画像のそれぞれのための固定長である
ことを特徴とする請求項１〜９のいずれか１項に記載の電子機器。
【請求項１２】
前記制御手段が前記第１の方向に並ぶ画像に前記リサイズ処理を実行するときに、当該画像のアスペクト比は維持される
ことを特徴とする請求項１〜１１のいずれか１項に記載の電子機器。
【請求項１３】
複数の画像を、互いに異なる第１の方向と第２の方向とに並べて表示エリアに表示するための表示制御方法であって、
前記画像ごとに、前記第２の方向の辺の長さを所定の長さにリサイズするときに、アスペクト比を維持するためにリサイズされる前記第１の方向の辺の長さを算出するステップと、
前記第１の方向に並ぶ画像数が閾値数以下かつ、前記第１の方向に並ぶ画像の前記第１の方向の辺の長さの合計が、閾値長さ以下となるように、前記複数の画像を前記第１の方向と前記第２の方向とに配置するステップと、
前記第１の方向に並ぶ画像の前記第１の方向の辺の長さの合計が、前記閾値長さに近似し、かつ前記第１の方向に並ぶ画像の前記第２の方向の辺の長さが近似するように、前記第１の方向に並ぶ画像をリサイズするリサイズ処理を、前記第１の方向に並ぶ画像ごとに実行するステップと、
前記リサイズ処理が実行された画像を前記第１の方向と前記第２の方向とに並べて前記表示エリアに表示するよう制御するステップと、
を有し、
前記表示エリアに表示される前記複数の画像の少なくともいずれかの画像の前記第１の方向の辺の長さは、当該複数の画像のうちの別の画像の前記第１の方向の辺の長さと異な
る
ことを特徴とする表示制御方法。
【請求項１４】
コンピュータを請求項１〜１２のいずれか１項に記載の電子機器の各手段として機能させるためのプログラム。
【請求項１５】
コンピュータを請求項１〜１２のいずれか１項に記載の電子機器の各手段として機能させるためのプログラムを格納したコンピュータが読み取り可能な記憶媒体。
【手続補正２】
【補正対象書類名】明細書
【補正対象項目名】発明の名称
【補正方法】変更
【補正の内容】
【発明の名称】電子機器およびそのプログラムおよびそのプログラムの記憶媒体および表示制御方法
【手続補正３】
【補正対象書類名】明細書
【補正対象項目名】０００１
【補正方法】変更
【補正の内容】
【０００１】
本発明は、電子機器およびそのプログラムおよびそのプログラムの記憶媒体および表示制御方法に関する。
【手続補正４】
【補正対象書類名】明細書
【補正対象項目名】０００６
【補正方法】変更
【補正の内容】
【０００６】
本発明の第１の態様は、
複数の画像を、互いに異なる第１の方向と第２の方向とに並べて表示エリアに表示するように制御可能な電子機器であって、
前記画像ごとに、前記第２の方向の辺の長さを所定の長さにリサイズするときに、アスペクト比を維持するためにリサイズされる前記第１の方向の辺の長さを算出し、
前記第１の方向に並ぶ画像数が閾値数以下かつ、前記第１の方向に並ぶ画像の前記第１の方向の辺の長さの合計が、閾値長さ以下となるように、前記複数の画像を前記第１の方向と前記第２の方向とに配置し、
前記第１の方向に並ぶ画像の前記第１の方向の辺の長さの合計が、前記閾値長さに近似し、かつ前記第１の方向に並ぶ画像の前記第２の方向の辺の長さが近似するように、前記第１の方向に並ぶ画像をリサイズするリサイズ処理を、前記第１の方向に並ぶ画像ごとに実行し、
前記リサイズ処理が実行された画像を前記第１の方向と前記第２の方向とに並べて前記表示エリアに表示するよう制御する制御手段、
を有し、
前記表示エリアに表示される前記複数の画像の少なくともいずれかの画像の前記第１の方向の辺の長さは、当該複数の画像のうちの別の画像の前記第１の方向の辺の長さと異なる
ことを特徴とする電子機器である。
【手続補正５】
【補正対象書類名】明細書
【補正対象項目名】０００７
【補正方法】変更
【補正の内容】
【０００７】
本発明の第２の態様は、
複数の画像を、互いに異なる第１の方向と第２の方向とに並べて表示エリアに表示するための表示制御方法であって、
前記画像ごとに、前記第２の方向の辺の長さを所定の長さにリサイズするときに、アスペクト比を維持するためにリサイズされる前記第１の方向の辺の長さを算出するステップと、
前記第１の方向に並ぶ画像数が閾値数以下かつ、前記第１の方向に並ぶ画像の前記第１の方向の辺の長さの合計が、閾値長さ以下となるように、前記複数の画像を前記第１の方向と前記第２の方向とに配置するステップと、
前記第１の方向に並ぶ画像の前記第１の方向の辺の長さの合計が、前記閾値長さに近似し、かつ前記第１の方向に並ぶ画像の前記第２の方向の辺の長さが近似するように、前記第１の方向に並ぶ画像をリサイズするリサイズ処理を、前記第１の方向に並ぶ画像ごとに実行するステップと、
前記リサイズ処理が実行された画像を前記第１の方向と前記第２の方向とに並べて前記表示エリアに表示するよう制御するステップと、
を有し、
前記表示エリアに表示される前記複数の画像の少なくともいずれかの画像の前記第１の方向の辺の長さは、当該複数の画像のうちの別の画像の前記第１の方向の辺の長さと異なる
ことを特徴とする表示制御方法である。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】変更
【補正の内容】
【００１４】
本発明の第３の態様は、コンピュータを上述した電子機器の各手段として機能させるためのプログラムである。本発明の第４の態様は、コンピュータを上述した電子機器の各手段として機能させるためのプログラムを格納したコンピュータが読み取り可能な記憶媒体である。